(57)【特許請求の範囲】
【請求項１】
自動車用の膝支持体であって、この膝支持体が、自動車の車体内部の、計器盤（１）の領域において配設されており、且つ、
車両長手方向に対して横方向に延在し、強固な側方の車体構造に保持され、且つ少なくとも１つの変形部材（１４、１５、１６、１７）を備える、横方向支持体（１３）を有しており、
この変形部材（１４、１５、１６、１７）が、多数の中空支持体を備えており、且つ自動車の乗客の膝に面した支持壁部（９）によって覆われている様式の膝支持体において、
変形部材（１４、１５、１６、１７）が、第１の、計器盤（１）の支持壁部（９）に沿って指向する中空支持体部分（１８）を、および第２の、付加的な中空支持体部分（１９）を有し、
この第２の中空支持体部分が、この第１の中空支持体部分（１８）に対して角度（γ）において設けられており、
その際に、この第２の中空支持体部分（１９）が、横方向支持体（１３）に固定されており、且つ、
この第１の中空支持体部分（１８）、および、この第２の中空支持体部分（１９）が、それぞれに、少なくとも、２つの第１の中空支持体（２１、２２、２３、２４）もしくは２つの中空支持体（２９、３０）を有していること、
この第１の中空支持体部分（１８）が、第１の支持壁部（２０）を有し、この第１の支持壁部が、計器盤（１）の支持壁部（９）に対して、間隔をもって指向するように構成されていること、および、
変形部材（１４；１５；１６；１７）の、第１の中空支持体部分（１８）と第２の中空支持体部分（１９）が、１つの部片から形成されていることを特徴とする膝支持体。
【請求項２】
第１の中空支持体部分（１８）の第１の支持壁部（２０）は、平らなまたは凸状の面として形成されており、且つ計器盤（１）の支持壁部（９）に対して、同じ間隔をもって指向するように構成されていることを特徴とする請求項１に記載の膝支持体。
【請求項３】
第１の支持壁部（２０）に対して離間するように、第１の中空支持体部分（１８）において、第２の支持壁部（２５）が延在し、この第１の支持壁部（２０）と第２の支持壁部（２５）の間に、互いに角度をなして指向するウェブ（２６、２７）が設けられていることを特徴とする請求項１に記載の膝支持体。
【請求項４】
第２の中空支持体部分（１９）は、第２の支持壁部（２５）から離れるように案内されており、その際、第２の中空支持体（２９、３０）が、部分毎に、第３の支持壁部（３１）および第４の支持壁部（３２）を形成することを特徴とする請求項１または３に記載の膝支持体。
【請求項５】
中空支持体（２９、３０）は、第２の中空支持体部分（１９）の中心長手面（Ｆ−Ｆ）に見て、横ウェブ（３３、３４）および支持壁部（３１、３２）を有していることを特徴とする請求項４に記載の膝支持体。
【請求項６】
横ウェブ（３３、３４）および支持壁部（３１、３２）は、六角形の蜂の巣構造を形成していることを特徴とする請求項５に記載の膝支持体。
【請求項７】
支持壁部（３１、３２）は、中空支持体（２９、３０）の領域において、凸状の壁部分を有していることを特徴とする請求項４に記載の膝支持体。
【請求項８】
第２の中空支持体部分（１９）は、横方向支持体（１３）に面する側面に、接続フランジ（３９、４０）を有しており、これら接続フランジが、横方向支持体（１３）の結合フランジ（４１、４２）と、適当な固定手段の間挿のもとで、その位置に保持されることを特徴とする請求項１から７のいずれか一つに記載の膝支持体。
【請求項９】
中空支持体部分（１８、１９）の、少なくとも支持壁部（２０、２５、３１、３２）、ウェブ（２６、２７、２８）、および横ウェブ（３３、３４）は、一定の厚さを有していることを特徴とする請求項１から８のいずれか一つに記載の膝支持体。
【請求項１０】
第２の中空支持体部分（１９）の中心長手面（Ｆ−Ｆ）、と第１の支持壁部（２０）は、有利には、鈍角の角度（β）において、互いに指向するように構成されていることを特徴とする請求項１から９のいずれか一つに記載の膝支持体。
【請求項１１】
中空支持体部分（１８、１９）および横方向支持体（１３）は、この横方向支持体（１３）が、ねじりにより膝支持体（１２）の変形最適化に寄与するような方法で、互いに配設されていることを特徴とする請求項１から１０のいずれか一つに記載の膝支持体。
【発明の詳細な説明】
【０００１】
【発明の属する技術分野】
本発明は、特許請求項１の上位概念による、自動車の車体内部の、計器盤の領域において配設されている、自動車用の膝支持体に関する。
【０００２】
【従来の技術】
膝支持体は公知であり−米国特許第４，７０９，９４３号明細書−、この膝支持体は、自動車内に組み込まれており、計器盤の支持壁部によって覆われた、且つ衝撃吸収支持体を有している。この衝撃吸収支持体は、保持部材を介して、側方のフレーム構造と結合されている横方向支持体に、接続されている。この衝撃吸収支持体と保持部材との間に、衝撃エネルギーを吸収する装置が設けられている。
【０００３】
米国特許第５，２７３，３１４号明細書において、変形部材を有する良く似た膝支持体が論じられており、この変形部材は、車両長手方向に見て、計器盤の支持壁部から横方向支持体に至るまで延在している。この変形部材は、支持体の様式によって構成されており、且つ離間した支持体壁部を有しており、この支持体壁部がウェブによって互いに結合されている。これら支持体壁部およびウェブの厚さは、様々であり、即ち、この厚さが、これら支持体壁部から横方向支持体に至るまで増大している。
【０００４】
【発明が解決しようとする課題】
従って、本発明の課題は、膝支持体の変形部材を、この膝支持体が高い変形仕事を所定の衝突の際に行い且つその際に効果的に車体に支持するように、改良することである。
【０００５】
【課題を解決するための手段】
この課題は、本発明に従い、特許請求項１の特徴によって解決される。更に、本発明を発展させた特徴は、従属請求項において記載されている。
【０００６】
本発明によって、主として達せられる利点は、中空支持体部分の形状、およびこれら中空支持体部分の互いの配設によって、計器盤に隣接して座っている自動車の乗客の十分な保護のために、適切に変形エネルギーを吸収する、変形部材が形成されている点にある。その際に、両方の中空支持体部分は、コンパクトに構成されており、且つ、通常制約された状況におけるこの計器盤の後ろで、是認できる経費でもって格納可能である。支持壁部、およびこれら中空支持体部分のウェブの延在は、機能に適合した変形部材の変形挙動を支援する。これら第１および第２の中空支持体部分は、１つの構造部材としてまとめられており、この構造部材が、例えば、軽合金から成り、且つ連続押出しによって形成されている。しかし同様に、上記の中空支持体部分を多部材より成るように形成すること、もしくはこれら第１の中空支持体部分のために、他の適当な材料を選択することの可能性も存在する。要するに、変形部材の作用は、更に、第２の中空支持体部分が固定されている横方向支持体が、変形部材の損壊に伴う変形の際のエネルギー吸収のために寄与することによって、最適化される。
【０００７】
【発明の実施の形態】
本発明の実施例を図において示し、以下に詳しく説明する。
【０００８】
例えば乗用車類の自動車から、単に計器盤１だけが図示されており、この計器盤は、車両長手方向Ａ−Ａに対して横方向に、客室２内において、強固な側方の車体構造３、４−図５、例えばＡピラー−の間に、延在している。この計器盤１は、アングル状フレーム５を備えており、このアングル部材フレームが、客室２に面した側面６上に、パッド７を備えている。断面で見て、このアングル部材フレーム５は、下側の、水平の線８に対して約２７°から３２°までの角度αにおいて指向する、並びに走行方向Ｂとは逆に上昇する、支持壁部９として形成されたリブ１０、および、上側の、走行方向Ｂにおいて上に向かって整向されたリブ１１を有し、これらリブ１０および１１が、約９７°の角度βを形成している。ほぼＣの近傍、即ちリブ１０とリブ１１との間の移行部において、この計器盤１、即ちこの計器盤の支持壁部９は、乗客の膝Ｋに整向されており、これら膝が自動車の前座席での場所を占め、且つこのことは図示されていない。
【０００９】
走行方向Ｂに見て、計器盤１の前に、膝支持体１２が、横方向支持体１３と共に配設されており、この横方向支持体が、側方の車体構造３、４に保持されている。この膝支持体１２の横方向支持体１３は、変形部材１４、１５、１６、１７を備えており、これら変形部材が、自動車の事故の結果として引き起こされる損壊の際に、Ｃを出発点とする膝力が所定の値内に留まるように、乗客の膝を支持し、且つ特に膝の衝突のエネルギーを吸収する。実施例において、運転者側および助手席の同乗者側で、それぞれに２つの変形部材１４、１５、もしくは１６、１７が、しかも例えば、−車両横方向Ｄ−Ｄに見て−それぞれに側方で、運転者および助手席の同乗者の膝の、構造上で所定の位置の外側に配設されている。しかしながら、これら変形部材の配設の他の様式も、同様に可能である。
【００１０】
それぞれの変形部材、例えば変形部材１４が、第１の、計器盤１の支持壁部９に沿って指向する中空支持体部分１８を、および第２の、付加的な中空支持体部分１９を有し、これら中空支持体部分は、所定の変形のための両方の成形体である。第２の中空支持体部分１９は、膝支持体１２横方向支持体１３に固定されている。第１の中空支持体部分１８は、支持壁部９に沿って延在している。その際に、平らなまたは凸状の面として構成された、第１の中空支持体部分１８の第１の支持壁部２０が、支持壁部９に対して、ほぼ同じ間隔をもって指向し、且つこの支持壁部が、中空支持体２１、２２、２３、２４を境界している。第１の中空支持体部分１８の第２の支持壁部２５は、第１の支持壁部２０に対して離間して設けられており、この第１の支持壁部と第２の支持壁部の間に、互いに角度をなして指向する、一種の対角線状のリブ形状を形成するウェブ２６、２７、２８が設けられており、且つこれらウェブが、領域的に、中空支持体２１、２２、２３、２４を形成している。この第２の中空支持体部分１９は、第２の支持壁部２５から離れるように案内されており、且つ、最後に記述した中空支持体部分の長手方向Ｅ−Ｅで見て、２つの相前後して設けられた中空支持体２９、３０を有し、これら中空支持体が、部分毎に、第３の支持壁部３１および第４の支持壁部３２である。これら支持壁部３１および３２は、横ウェブ３３、３４によって、これらそれぞれの中空支持体２９、３０が、断面において六角形の蜂の巣構造を形成するように支持されている。図４により、これら支持壁部３１および３２は、凸状の壁部分３５および３６を備えており、従って、これら中空支持体２９、３０が、この実施形態において、四角形の断面を有している。更に、第２の中空支持体部分１９の中心長手面Ｆ−Ｆは、直線３７に対して約８０°の鈍角の角度γの状態で延在し、この直線に沿って、この第１の中空支持体部分１８の第１の支持壁部２０が指向している。
【００１１】
第２の中空支持体部分１９は、横方向支持体１３に面した側面３８−図３−上で、互いに角度をもって設けられた接続フランジ３９、４０を備えており、これら接続フランジが、上記の横方向支持体のブラケット４３の結合フランジ４１、４２に接続している。これら接続フランジ３９と結合フランジ４１、４２との間で、適当な固定手段、例えばねじ５３が作用している。その際に、第１の中空支持体部分１８および第２の中空支持体部分１９は、横方向支持体が、ねじりにより膝支持体１２の変形最適化に寄与するような方法で、円形の管状断面を有するこの横方向支持体１３に対して配設されている。
【００１２】
第１の中空支持体部分１８および第２の中空支持体部分１９は、実施例において、連続押出し形材−軽合金、鋼、合成物質−として、１つの部片から形成されており、その際、支持壁部２０、２５、３１、および３２、ウェブ２６、２７、および２８、並びに横ウェブ３３、３４が、一定の厚さＤｉ−図１−を有している。
しかし同様に、中空支持体部分１８および１９を別個の構造部材として形成すること、およびこれら中空支持体部分を、次いで、４４において互いに結合することも可能である。
【図面の簡単な説明】
【図１】本発明による、膝支持体を有する計器盤の領域における、自動車の部分縦断面図である。
【図２】斜視図として、および縮小された尺度における、図１の詳細図である。
【図３】図１の部分図である。
【図４】他の実施形態を有する、図１の部分図である。
【図５】本発明による、変形部材を有する膝支持体の横方向支持体の斜視図である。
【符号の説明】
１    計器盤
２    客室
３、４  車体構造
５    アングル状フレーム
６    客室に面した側面
７    パッド
８    水平の線
９    支持壁部
１０、１１  リブ
１２  膝支持体
１３  横方向支持体
１４、１５、１６、１７  変形部材
１８  第１の中空支持体部分
１９  第２の中空支持体部分
２０  第１の支持壁部
２１、２２、２３、２４  中空支持体
２５  第２の支持壁部
２６、２７、２８  ウェブ
２９、３０  中空支持体
３１  第３の支持壁部
３２  第４の支持壁部
３３、３４  横ウェブ
３５、３６  壁部分
３７  直線
３８  側面
３９、４０  接続フランジ
４１、４２  結合フランジ
４３  ブラケット
５３  ねじ
Ｂ    走行方向
Ｃ    移行部
Ｄｉ  厚さ
Ｋ    膝
α    角度
β    角度
γ    角度
【図１】
0004099020.tif 000002
【図２】
0004099020.tif 000003
【図３】
0004099020.tif 000004
【図４】
0004099020.tif 000005
【図５】
0004099020.tif 000006